(57)【要約】【課題】簡易な構成で、ハーネスを確実に保護することができる画像読取装置及びこれを搭載した画像形成装置を提供する。【解決手段】原稿を載置する原稿面(6)と、原稿面を支持するスキャナハウジング(24)と、このハウジング内に搭載されており、光源(46)とともに原稿面に対して移動する原稿走査装置(40)と、原稿走査装置から引き出されて原稿走査装置とともに移動可能に構成されており、原稿走査装置とハウジングとの間を延びて光源に給電するハーネス(70)と、原稿走査装置から引き出されてハーネスとともに移動可能に構成されており、原稿走査装置とハーネスとの間を延びてハウジングに固定されるシート部材(80)とを具備する。【選択図】図４
2010210843.tif 000002
【特許請求の範囲】
【請求項１】
原稿を載置する原稿面と、
該原稿面を支持するスキャナハウジングと、
該ハウジング内に搭載されており、光源とともに前記原稿面に対して移動する原稿走査装置と、
該原稿走査装置から引き出されて該原稿走査装置とともに移動可能に構成されており、該原稿走査装置と前記ハウジングとの間を延びて前記光源に給電するハーネスと、
前記原稿走査装置から引き出されて前記ハーネスとともに移動可能に構成されており、前記原稿走査装置と前記ハーネスとの間を延びて前記ハウジングに固定されるシート部材と
を具備することを特徴とする画像読取装置。
【請求項２】
請求項１に記載の画像読取装置であって、
前記シート部材は、前記原稿走査装置の移動時に湾曲し、互いに擦れ合う際に滑動する材質で構成されることを特徴とする画像読取装置。
【請求項３】
請求項１又は２に記載の画像読取装置であって、
前記原稿走査装置は、前記ハーネスに連結されるコネクタと、該ハーネスのうち、前記コネクタから引き出されて前記ハウジングに対峙するまでの部分を保持する負荷軽減部とを備えることを特徴とする画像読取装置。
【請求項４】
請求項１から３のいずれか一項に記載の画像読取装置であって、
前記ハウジングは、前記原稿走査装置が前記原稿の読み取りを開始する位置にて該原稿走査装置から離間する方向に向けて窪んだ凹部と、該凹部に連なり、前記原稿の読み取り方向に向けて競り上がる斜面部と、該斜面部に連なり、前記原稿の読み取り方向に向けて平坦に形成された平坦部とを備えていることを特徴とする画像読取装置。
【請求項５】
請求項１から４のいずれか一項に記載の画像読取装置を搭載したことを特徴とする画像形成装置。
【発明の詳細な説明】
【技術分野】
【０００１】
本発明は、複写機やファクシミリ等に用いられる画像読取装置及びこれを搭載した画像形成装置に関する。
【背景技術】
【０００２】
この種の画像読取装置では原稿面に原稿を載置し、画像形成装置のスタートボタンを押し下げると、この原稿は光学的に読み取られる。
詳しくは、原稿面は箱型のスキャナハウジングに支持され、このハウジング内には原稿走査装置（キャリッジ）が搭載されている。キャリッジは原稿面に対して往復移動可能に構成され、また、その内部に光源を有している。
【０００３】
ここで、この光源への給電には、装置本体の電源に接続したハーネスが用いられる（例えば、特許文献１参照）。具体的には、このハーネスは、キャリッジのコネクタから引き出され、キャリッジとハウジングとの間を延びて上記電源に接続されており、このキャリッジに引き連れられて移動する。
【先行技術文献】
【特許文献】
【０００４】
【特許文献１】特開２００４−２７３４３５号公報
【発明の概要】
【発明が解決しようとする課題】
【０００５】
しかしながら、上述した従来の技術では、ハーネスの寿命が短くなるとの問題がある。ハーネス自体に錘を設置すると、その寿命に影響を及ぼす最小曲げＲが小さくなるし、ハーネスの折れ曲がりが生じるからである。
また、キャリッジに別部材を設置し、このキャリッジに引き上げられたハーネスの動作を強制的に抑え込むことも考えられるものの、当該別部材がハーネスの柔軟な動きに追従できなければ、やはりハーネスの損傷を招くことになる点に留意しなければならない。さらに、この別部材が簡易な構成であることも重要である。
【０００６】
そこで、本発明の目的は、上記課題を解消し、簡易な構成で、ハーネスを確実に保護することができる画像読取装置及びこれを搭載した画像形成装置を提供することである。
【課題を解決するための手段】
【０００７】
上記目的を達成するための第１の発明は、原稿を載置する原稿面と、原稿面を支持するスキャナハウジングと、ハウジング内に搭載されており、光源とともに原稿面に対して移動する原稿走査装置と、原稿走査装置から引き出されて原稿走査装置とともに移動可能に構成されており、原稿走査装置とハウジングとの間を延びて光源に給電するハーネスと、原稿走査装置から引き出されてハーネスとともに移動可能に構成されており、原稿走査装置とハーネスとの間を延びてハウジングに固定されるシート部材とを具備する。
【０００８】
第１の発明によれば、画像読取装置は、原稿面に対して移動する原稿走査装置をスキャナハウジング内に具備しており、この原稿走査装置は光源を有し、この光源への給電にはハーネスが用いられる。
具体的には、このハーネスは、原稿走査装置から引き出され、この原稿走査装置とスキャナハウジングとの間を延びた配線ルートが構成されており、原稿走査装置に引き連れられて移動可能に構成されている。
【０００９】
そして、これら原稿走査装置及びハーネスとともに移動可能なシート部材が、ハーネス自体に設けられるのではなく、原稿走査装置から引き出されているので、従来の構成に比してハーネスの折れ曲がりを回避できる。
また、このシート部材は、ハーネスに重ねられた状態で原稿走査装置とハーネスとの間を延びてハウジングに固定され、さらに、シート部材の両側の固定端が上述の配線ルート上に設けられているため、ハーネスの柔軟な動きに追従することができる。つまり、原稿走査装置に引き連れられたハーネスはシート部材を乗り越えないことから、このハーネスの浮き上がりを防止でき、従来の構成に比してハーネスを確実に保護可能になる。
これらの結果、簡易な構成で済むし、ハーネスの長寿命化を達成できる。
【００１０】
第２の発明は、第１の発明の構成において、シート部材は、原稿走査装置の移動時に湾曲し、互いに擦れ合う際に滑動する材質で構成されることを特徴とする。
第２の発明によれば、第１の発明の作用に加えてさらに、ハーネスやシート部材は、原稿走査装置に引き連れられて移動するものの、シート部材は、その湾曲した際には滑り性の良い材質同士が擦れ合ってハーネスを乗り越えさせないことから、このハーネスの撓みも抑制でき、従来の構成に比してハーネスをより確実に保護できる。
【００１１】
第３の発明は、第１や第２の発明の構成において、原稿走査装置は、ハーネスに連結されるコネクタと、ハーネスのうち、コネクタから引き出されてハウジングに対峙するまでの部分を保持する負荷軽減部とを備えることを特徴とする。
第３の発明によれば、第１や第２の発明の作用に加えてさらに、コネクタから引き出されたハーネスが、ハウジングに対峙するまでに負荷軽減部に保持されており、原稿走査装置の移動の際にコネクタに作用する負荷を減らすことができ、原稿走査装置の信頼性が向上する。
【００１２】
第４の発明は、第１から第３の発明の構成において、ハウジングは、原稿走査装置が原稿の読み取りを開始する位置にて原稿走査装置から離間する方向に向けて窪んだ凹部と、凹部に連なり、原稿の読み取り方向に向けて競り上がる斜面部と、斜面部に連なり、原稿の読み取り方向に向けて平坦に形成された平坦部とを備えていることを特徴とする。
これらの結果、簡易な構成で済むし、ハーネスの長寿命化を達成できる。
第４の発明によれば、第１から第３の発明の作用に加えてさらに、ハウジングの凹部は、原稿の読み取り前に位置するハーネスを収納することができるが、これら凹部と平坦部とは深さが異なる故、キャリッジに引き連れられる際のハーネスの浮き上がりや撓みが特に生じ易くなる。しかしながら、上述したシート部材を設けていれば当該問題も生じない。
【００１３】
第５の発明は、第１から第４の画像読取装置を搭載した画像形成装置であることを特徴とする。
第５の発明によれば、第１から第４の発明の作用に加えてさらに、上述したシート部材を備えていればハーネスの破損がなく、原稿走査装置が原稿を確実に読み取ることができ、画像形成装置の信頼性向上に寄与する。
【発明の効果】
【００１４】
本発明によれば、原稿走査装置から引き出されたシート部材が原稿走査装置とハーネスとで狭持されており、簡易な構成で、ハーネスを確実に保護可能な画像読取装置及びこれを搭載した画像形成装置を提供することができる。
【図面の簡単な説明】
【００１５】
【図１】本実施例における画像形成装置の外観斜視図である。
【図２】図１の画像形成装置の外観斜視図であり、原稿面を視認させた状態を示す図である。
【図３】図１の画像形成装置の概略構成図である。
【図４】図３のスキャナ部の断面図である。
【図５】図４のスキャナ部をコンタクトガラスから見た外観斜視図である。
【図６】図４のスキャナ部をスキャナハウジングから見た外観斜視図である。
【図７】図２のスキャナハウジングやスキャナ部の斜視図である。
【図８】図７の位置ａ〜ｃに関するハーネス及び中間シート部材の軌道を説明する図である。
【発明を実施するための形態】
【００１６】
以下、本発明の実施形態について図面を参照しながら説明する。
図１には、画像形成装置の一例である複合機１が左前上方から示されており、操作者に相対する複合機１の正面と、この複合機１の左側面とが見えている。この複合機１は装置本体２を備え、この本体２の内側には排紙トレイ３６が形成されている。
【００１７】
本実施例の装置本体２の上部には原稿押さえ４が配置され、この原稿押さえ４の下面にはコンタクトガラス（原稿面）６が配置されている（図２）。そして、このガラス６に載置された原稿の画像データは、スキャナ部（画像読取装置）７で光学的に読み取られる（図３）。なお、この原稿押さえ４に換えて、原稿を所定の画像読取位置に搬送する自動原稿搬送装置（ＡＤＦ）も搭載可能である。
【００１８】
コンタクトガラス６の手前側には操作パネル８が設置されている。このパネル８には、操作者の各種操作に供される複数の操作キーやスイッチが配置され、各種情報を表示する表示画面も設けられている。
装置本体２の下部には給紙カセット１２が配置される。このカセット１２は装置本体２に対して着脱可能に構成され、複合機１の正面側に向けて引き出されると、カセット１２の内部が外部に開かれる。このカセット１２の内部には、例えば普通紙が積層された状態で収納されている。
【００１９】
一方、カセット１２の上方にはフロントカバー２０が配置される。当該カバー２０は、装置本体２の正面側を覆う門型状に形成され、その下端部分は装置本体２に回動自在に支持される。また、このカバー２０には手差しトレイ２２が設置され、このトレイ２２はカバー２０を開閉可能に構成されている。つまり、その取手を掴み、トレイ２２を複合機１の正面側に向けて引くと、装置本体２の内部が外部に開かれ、この取手を複合機１の背面側に向けて押し込めば、装置本体２の内部が閉じられる。当該トレイ２２は例えば厚紙等の特殊紙が積層可能である。
【００２０】
図３に示される如く、この装置本体２の内部には、給紙カセット１２や手差しトレイ２２からの用紙搬送方向でみて下流側にレジストローラ１４、画像形成部１６及び転写部３０が順番に配置されている。
画像形成部１６は感光体ドラムを有し、また、この画像形成部１６の近傍には露光部１５が備えられており、この露光部１５からは、レーザ光がドラムに向けて照射される。
【００２１】
さらに、転写部３０は転写ローラを有しており、このローラはドラムに対して圧接可能に構成されている。そして、これら転写ローラとドラムとは、供給されたトナーを用いてトナー像を用紙に転写するためのニップ部を形成する。
また、用紙搬送方向でみて転写部３０の下流側には、定着部３２及び排紙トレイ３６が順番に配置されている。
【００２２】
そして、この複合機１が印刷を行う際は、カセット１２からの普通紙やトレイ２２からの特殊紙が１枚ずつ分離して送出される。これら送出された普通紙や特殊紙である用紙はレジストローラ１４に到達する。このローラ１４は、用紙の斜め送りを矯正しつつ、画像形成部１６で形成されるトナー画像との画像転写タイミングを計りながら、用紙を転写部３０へと送出する。
【００２３】
一方、同図の入力ポート６０は、印刷の元になる画像データが外部やスキャナ部７からそれぞれ受信可能に構成されている。この画像データは、文字や符号、図形、記号、線図、模様等の各種の画像がデータ化されたものである、そして、このデータに基づき、コントローラ（メインＥＣＵ）５０ではレーザ光の照射が制御される。
【００２４】
このコントローラ５０はコンピュータとして機能する要素であり、ＣＰＵやメモリ等のハードウエア資源を有している。そして、コントローラ５０は、このハードウエア資源を用いて所定のプログラムを実行する。これにより、画像形成部１６においてドラム上に原稿画像の静電潜像が作られ、続いてこの静電潜像からドラム上にトナー画像が形成される。
【００２５】
このトナー画像は上記ニップ部にて用紙に転写される。その後、用紙は未定着トナー画像を担持した状態で定着部３２に向けて送られ、この定着部３２にて所定の温度に達した熱ローラで加圧され、トナー画像が定着される。次いで、定着部３２から送出された用紙は排出ローラ３５を介して排紙トレイ３６に排出される。
【００２６】
ところで、上述したスキャナ部７は、コンタクトガラス６の下側に配置され（図４）、このガラス６に沿って水平方向（副走査方向）に移動するキャリッジ（原稿走査装置）４０を有しており、原稿の画像データを読み取っている。
具体的には、図２に示されたスキャナハウジング２４は例えばＡＢＳ樹脂にて空洞状に形成され（図７）、コンタクトガラス６の周囲を支持するとともに、その内部にキャリッジ４０を搭載している。
【００２７】
このキャリッジ４０は、図４〜６に示されるように、略直方体形状の本体４１を備えており、図示しない駆動モータやタイミングベルトを用いて、前面４８或いは後面４９を先頭にして、その長手方向（主走査方向）に略直交する方向に向けて往復移動する。当該本体４１も例えばＡＢＳ樹脂にて空洞状に形成され、その内部に複数のレンズやミラーが組み付けられている。
【００２８】
また、本体４１は、その上面４２の一部が光源取付台４４で覆われており（図５）、この光源取付台４４には、棒状の冷陰極管ランプ（光源）４６が設置されている。
詳しくは、当該ランプ４６は、その長手方向（管長方向、主走査方向）の両端部分が光源取付台４４に支持され、この両端部分は、ランプ４６に電力を供給する給電線に接続される。この給電線は本体４１内にてインバータ基板に接続してから後面４９に引き出されている。
【００２９】
この光源取付台４４には、ランプ４６からの光をガラス６に向けて集光させる反射板５４が取り付けられている。この反射板５４は例えば白色樹脂で構成され、反射曲面５６及び支持プレート６４を有している。
当該反射曲面５６は、断面視で略Ｃ字状に形成され（図４）、上記主走査方向、つまり、ランプ４６の長手方向に亘ってランプ４６の半周側を部分的に囲繞している。
【００３０】
ランプ４６を挟んで反射板５４とは反対側の位置には、副反射板５２が設けられている。この副反射板５２は、光源取付台４４に一体的に固定され、ランプ４６からの光をガラス６に向けて集光させる。
これらランプ４６からの直接光、及び反射板５４や副反射板５２からの反射光がガラス６に照射されると、光軸を中心とした所望の断面配光分布が得られ、この照射された光はミラーやレンズを経て光電変換素子（ＣＣＤ）にて読み取られ、所定の信号に変換される。そして、原稿画像の静電潜像がドラム上に形成される。
【００３１】
ここで、上述した給電線は後面４９の中継基板６６に達し（図６）、そのコネクタ６８，６９を介して帯状のハーネス（フレキシブルフラットケーブル：ＦＦＣ）７０，７１に接続されている（図７）。これらハーネス７０，７１は、コネクタ６８，６９からそれぞれ引き出され、所定の剛性を有するものの、キャリッジ４０とともにスキャナハウジング２４に対して移動可能に構成されている。
【００３２】
より詳しくは、まず、ハーネス７０について説明すると、本実施例のハーネス７０は、図４にも示されるように、コネクタ６８から下方に向けて延びた後、原稿の読み取り方向（同図の右方向）に向けて延び、底面４７に設置されたターン部（負荷軽減部）５８を経由してＵターンする。つまり、ターン部５８に保持されたハーネス７０は、原稿の読み取り方向とは反対方向（同図の左方向）に向けて延びてから下向きに湾曲し、スキャナハウジング２４の底面に対峙する。
【００３３】
本実施例のスキャナハウジング２４の底面は、図７に示される如く、収納凹部（凹部）２６がキャリッジ４０による原稿の読み取りを開始する位置に形成されており、この凹部２６は、キャリッジ４０の底面４７から離間する方向に向けて掘り込まれている。また、この凹部２６は、原稿の読み取り方向（同図の右方向）に向けて競り上がる斜面部２７に連なっており、さらに、この斜面部２７は、同じく原稿の読み取り方向に向けて平坦に形成された平坦部２８に連なっている。
【００３４】
そして、ハーネス７０は、図８（ａ）に示されたキャリッジ４０による原稿の読み取りを開始する位置では、凹部２６に沿って湾曲し、続いて斜面部２７に沿って右方向に競り上がって略直線状に延びる。その後、斜面部２７と平坦部２８との境界部分にて略水平方向に角度を変え、平坦部２８に沿って略直線状に延び、この平坦部２８の適宜位置に例えば両面テープで固定される。また、このハーネス７０の端部は装置本体２内のコネクタを経由して電源に接続されている。
【００３５】
なお、図６のコネクタ６９から下方に向けて延びたハーネス７１についても上記ハーネス７０と同様に、同図の他のターン部５８を経由してからキャリッジ４０とスキャナハウジング２４との間を延び、装置本体２内の電源に接続される。
ところで、仮に上述までの構成にて、キャリッジ４０が原稿を読み取るべく図８（ａ）の右方向に向けて移動すると、凹部２６に対峙したハーネス７０は引き上げられることになるが、この場合に、キャリッジ４０から見て前方のハーネス７０、具体的には、スキャナハウジング２４から見れば、斜面部２７と平坦部２８との境界に対峙した部分のハーネス７０がオーバシュートの如く特に浮き上がり、また、この浮き上がり度合が大きくなると、キャリッジ４０に向けて凸状に特に撓み易くなってしまう。
【００３６】
しかしながら、本実施例では、帯状の中間シート部材（シート部材）８０，８５を用いてハーネス７０の浮き上がりや撓みの解消を図っている（図７）。
具体的には、本実施例のシート部材８０，８５は、その厚さが約５０μｍ（１μｍ＝１×１０−６ｍ）のＰＥＴ樹脂にて長細の板状にそれぞれ構成され、その幅は上記ハーネス７０，７１の幅よりもやや広く形成されている。
【００３７】
より詳しくは、まず、シート部材８０について説明すると、本実施例のシート部材８０は、湾曲可能であって特に滑り性の良い材質で構成され、また、図４や図８（ａ）に示される如く、その一方の固定端８２がターン部５８の近傍にて底面４７に例えば両面テープで固定されている。この固定端８２は腹部８３に連なっている。
【００３８】
この腹部８３は、ターン部５８に保持されたハーネス７０の下側を覆って原稿の読み取り方向とは反対方向（同図の左方向）に向けて延び、さらに、ハーネス７０に沿って下向きに湾曲し、凹部２６、斜面部２７及び平坦部２８に対峙したハーネス７０の上側をそれぞれ覆ってから他方の固定端８４に連なる（図７）。この固定端８４は、ハーネス７０とともに例えば両面テープで平坦部２８に固定されている。
【００３９】
これにより、図８（ａ）の位置にてキャリッジ４０が原稿の読み取りを開始すると、前面４８を先頭に移動し、ターン部５８も右方向に向けて移動するため、凹部２６に対峙したハーネス７０は引き上げられ、シート部材８０もまたハーネス７０とともに引き上げられる。
【００４０】
これに伴い、斜面部２７と平坦部２８との境界に対峙した部分のハーネス７０が特に浮き上がり得ることになるが、図８（ｂ）に示される如くターン部５８が当該斜面部２７と平坦部２８との境界部分に達する時点では、シート部材８０同士、すなわち、ターン部５８に保持されたハーネス７０の下側を覆う腹部８３と、斜面部２７と平坦部２８との境界に対峙したハーネス７０の上側を覆う腹部８３とが滑るように擦れ合う。
【００４１】
また、当該シート部材８０は、このハーネス７０をスキャナハウジング２４の底面に押圧可能な所定の自重を有しているので、浮き上がりかけたハーネス７０はスキャナハウジング２４の底面に向けて沈むことになる。
次いで、図８（ｃ）に示されるように、ターン部５８が平坦部２８に沿って移動する時点では、ハーネス７０はスキャナハウジング２４の底面近傍に沈み込むようになり、続いて、キャリッジ４０が原稿の読み取りを終了すると、ハーネス７０及びシート部材８０が平坦部２８にて湾曲する（図７）。
【００４２】
なお、その後、キャリッジ４０は、後面４９を先頭に、キャリッジ４０による原稿の読み取り開始位置（図８（ａ））まで戻り、次回の読み取り開始までその位置で待機する。
また、図７のシート部材８５についても当該シート部材８０と同様に、ハーネス７１に重ねられてキャリッジ４０とハーネス７１との間を延び、ハーネス７１とともに例えば両面テープで固定されており、キャリッジ４０の移動に伴い、ハーネス７１とともに移動する。
【００４３】
ところで、上述のハーネス７０，７１は、ターン部５８を経由せずに、そのままスキャナハウジング２４の凹部２６に対峙しても良い。この場合には、ターン部５８を設けた場合に比して、コネクタ６８，６９に作用する負荷は大きくなるものの、ハーネス７０，７１の湾曲箇所が少ないため、斜面部２７と平坦部２８との境界に対峙したハーネス７０，７１は浮き上がり難くなる。
【００４４】
以上のように、本実施例によれば、スキャナ部７は、コンタクトガラス６に対して往復移動するキャリッジ４０をスキャナハウジング２４内に具備しており、このキャリッジ４０はランプ２６を有し、このランプ２６への給電には装置本体２の電源に接続したハーネス７０（ハーネス７１も同様）が用いられる。
具体的には、このハーネス７０は、キャリッジ４０の後面４９のコネクタ６８から引き出され、このキャリッジ４０の底面４７とスキャナハウジング２４の底面との間を延びた配線ルートが構成されており、キャリッジ４０に引き連れられて往復移動可能に構成されている。
【００４５】
そして、これらキャリッジ４０及びハーネス７０とともに移動可能な中間シート部材８０が、ハーネス７０自体に設けられるのではなく、キャリッジ４０から引き出されているので、従来の如くハーネス自体に錘を設置する構成に比してハーネス７０の寿命に影響を及ぼす最小曲げＲが小さくならず、折れ曲がりを回避できる。
【００４６】
また、このシート部材８０は、ハーネス７０に重ねられた状態でキャリッジ４０の底面４７とハーネス７０との間を延びてハウジング２４に固定され、シート部材８０の両側の固定端８２，８４が上述の配線ルート上に設けられているため、ハーネス７０の柔軟な動きに追従することができる。つまり、キャリッジ４０に引き連れられたハーネス７０はシート部材８０を乗り越えないことから、このハーネス７０のスキャナハウジング２４の底面に対する浮き上がりを防止でき、従来のように、浮き上がったハーネスがキャリッジに接触していた構成に比してハーネスを確実に保護可能になる。
これらの結果、簡易な構成で済むし、ハーネス７０の長寿命化を達成できる。
【００４７】
また、ハーネス７０やシート部材８０は、キャリッジ４０に引き連れられて移動するものの、シート部材８０は、特に、図８（ｂ）に示されるように、その湾曲した際には滑り性の良い材質同士が擦れ合ってハーネス７０を乗り越えさせないことから、このハーネス７０の撓みも抑制でき、従来の如く、撓んだハーネスがキャリッジに巻き込まれて損傷していた構成に比してハーネス７０をより確実に保護できる。
【００４８】
さらに、シート部材８０がハーネス７０をハウジング２４の底面に押圧可能な所定の自重を有していれば、ハーネス７０のうち、キャリッジ４０の前方部分の浮き上がりや撓みの防止にも寄与するし、さらに、ハーネス７０を強制的に押さえ込まないので、ハーネス７０との干渉によるキャリッジの振動もない。よって、キャリッジ４０の読み取り動作に悪影響を及ぼさず、色ズレ等を防止できる。さらにまた、シート部材８０をＰＥＴ樹脂で構成すれば、高額な部品を必要とせず、スキャナ部７の製造コストもより一層削減できる。
【００４９】
さらにまた、図４のように、コネクタ６８から引き出されたハーネス７０が、ハウジング２４に対峙するまでにターン部５８に保持されており、キャリッジ４０の移動の際にコネクタ６８に作用する負荷を減らすことができ、キャリッジ４０の信頼性が向上する。
また、ハウジング２４の凹部２６は、原稿の読み取り前に位置するハーネス７０を収納することができるが、これら凹部２６と平坦部２８とは深さが異なる故、キャリッジ４０から見て前方のハーネス７０は、キャリッジ４０に引き連れられる際に特に浮き上がりや撓みが生じ易くなる。しかしながら、上述したシート部材８０を設けていれば当該問題も生じない。
【００５０】
さらに、上述したシート部材８０を備えていればハーネス７０の破損がなく、キャリッジ４０が原稿を確実に読み取ることができ、複合機１の信頼性向上に寄与する。
本発明は、上記実施例に限定されず、特許請求の範囲を逸脱しない範囲で種々の変更を行うことができる。
【００５１】
例えば、上記実施例のスキャナハウジング２４は凹部２６を有しているが、キャリッジ４０とハーネス７０とでシート部材８０を狭持している限り、上述した凹部２６の無い総て平坦な底面を有したスキャナハウジングにも適用可能であるし、さらに、上記実施例の２本のハーネス７０，７１に替えて１本のハーネスであっても当然に適用可能である。
【００５２】
さらにまた、上記実施例では画像形成装置として複合機に具現化した例を示しているが、本発明は複写機や、プリンタ、ファクシミリ等自体にも当然に適用可能である。
そして、これらいずれの場合にも上記と同様に簡易な構成で、ハーネスを確実に保護できるとの効果を奏する。
【符号の説明】
【００５３】
１  複合機（画像形成装置）
６  コンタクトガラス（原稿面）
７  スキャナ部（画像読取装置）
２４  スキャナハウジング
２６  収納凹部（凹部）
２７  斜面部
２８  平坦部
４０  キャリッジ（原稿走査装置）
４６  ランプ（光源）
５８  ターン部（負荷軽減部）
６８，６９  コネクタ
７０，７１  ハーネス
８０，８５  中間シート部材（シート部材）
【図１】
2010210843.tif 000003
【図２】
2010210843.tif 000004
【図３】
2010210843.tif 000005
【図４】
2010210843.tif 000006
【図５】
2010210843.tif 000007
【図６】
2010210843.tif 000008
【図７】
2010210843.tif 000009
【図８】
2010210843.tif 000010